【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
第１の物品に突設された第１球体と、第２の物品に突設された第２球体と、細長形状の第１挟持板と、細長形状の第２挟持板と、それら挟持板の厚さ方向の一方の面である内面を向かい合わせて挟持固定する一本の雄ねじ部材とを含んで構成され、
前記第１球体は第１の半径で球状に形成され、
前記第２球体は第２の半径で球状に形成され、
前記第１挟持板の長手方向の両側における前記内面の箇所に第１挟持用凹部と第２挟持用凹部がそれぞれ形成されると共に、それら挟持用凹部の間の箇所に前記雄ねじ部材の雄ねじの挿通を可能とした挿通孔が貫通形成され、
前記第２挟持板の長手方向の両側における前記内面の箇所に第３挟持用凹部と第４挟持用凹部がそれぞれ形成されると共に、それら挟持用凹部の間の箇所に、前記第１挟持用凹部と前記第３挟持用凹部との軸心を合致させ、かつ、前記第２挟持用凹部と前記第４挟持用凹部との軸心を合致させた状態で前記挿通孔に挿通された前記雄ねじ部材の雄ねじに螺合する雌ねじが形成され、
前記第１挟持用凹部は、前記内面に開口する部分全周に前記第１の半径で形成された第１球面状挟持面を有し、
前記第２挟持用凹部は、前記内面に開口する部分全周に前記第２の半径で形成された第２球面状挟持面を有し、
前記第３挟持用凹部は、前記内面に開口する部分全周に前記第１の半径で形成された第３球面状挟持面を有し、
前記第４挟持用凹部は、前記内面に開口する部分全周に前記第２の半径で形成された第４球面状挟持面を有し、
前記第１挟持用凹部と前記第３挟持用凹部とを対向させ、前記第２挟持用凹部と前記第４挟持用凹部とを対向させて、それら前記第１挟持用凹部と前記第３挟持用凹部の間に前記第１球体を位置させ、前記第２挟持用凹部と前記第４挟持用凹部の間に前記第２球体を位置させて前記挿通孔に挿通した雄ねじ部材の雄ねじを前記雌ねじに締め付けると、前記第１球体が前記第１球面状挟持面と前記第３球面状挟持面により固定され、前記第２球体が前記第２球面状挟持面と前記第４球面状挟持面により固定され、これらにより第１の物品と第２の物品とが連結される、
ことを特徴とする連結構造。
【請求項２】
前記第１挟持用凹部は、前記第１球面状挟持面の中央に前記第１球面状挟持面の仮想延長面よりも深い深さで形成された第１凹部を備え、
前記第２挟持用凹部は、前記第２球面状挟持面の中央に前記第２球面状挟持面の仮想延長面よりも深い深さで形成された第２凹部を備え、
前記第３挟持用凹部は、前記第３球面状挟持面の中央に前記第３球面状挟持面の仮想延長面よりも深い深さで形成された第３凹部を備え、
前記第４挟持用凹部は、前記第４球面状挟持面の中央に前記第４球面状挟持面の仮想延長面よりも深い深さで形成された第４凹部を備える、
ことを特徴とする請求項１記載の連結構造。
【請求項３】
前記第１の半径と前記第２の半径とは同一の寸法で形成され、
前記挿通孔は、前記第１挟持用凹部の軸心と前記第２挟持用凹部の軸心との間の中心の箇所に形成され、
前記雌ねじは、前記第３挟持用凹部の軸心と前記第４挟持用凹部の軸心との間の中心の箇所に形成されている、
ことを特徴とする請求項１記載の連結構造。
【請求項４】
前記第１挟持板の長手方向の両側における前記内面の箇所は、同一平面上を延在する第１内面として形成されると共に、前記第１挟持板の長手方向の中央部における前記内面の箇所は、前記第１内面よりも突出し前記平面に平行する平面上を延在する第２内面として形成され、
前記第１挟持用凹部と前記第２挟持用凹部は前記第１内面に形成され、前記挿通孔は前記第２内面に形成され、
前記第２挟持板の長手方向の両側における前記内面の箇所は、同一平面上を延在する第３内面として形成されると共に、前記第２挟持板の長手方向の中央部における前記内面の箇所は、前記第３内面よりも突出し前記平面に平行する平面上を延在する第４内面として形成され、
前記第３挟持用凹部と前記第４挟持用凹部は前記第３内面に形成され、前記雌ねじは前記第４内面に形成されている、
ことを特徴とする請求項１記載の連結構造。
【請求項５】
前記第１挟持板の長手方向の両側における前記内面の箇所は、同一平面上を延在する第１内面として形成されると共に、前記第１挟持板の長手方向の中央部における前記内面の箇所は、前記第１内面よりも突出し前記平面に平行する平面上を延在する第２内面として形成され、
前記第１挟持用凹部と前記第２挟持用凹部は前記第１内面に形成され、前記挿通孔は前記第２内面に形成され、
前記第２挟持板の長手方向の両側における前記内面の箇所は、同一平面上を延在する第３内面として形成されると共に、前記第２挟持板の長手方向の中央部における前記内面の箇所は、前記第３内面よりも突出し前記平面に平行する平面上を延在する第４内面として形成され、
前記第３挟持用凹部と前記第４挟持用凹部は前記第３内面に形成され、前記雌ねじは前記第４内面に形成され、
前記挿通孔の周囲の前記第２内面の箇所と、前記雌ねじの周囲の前記第４内面の箇所に、前記第１挟持用凹部と前記第３挟持用凹部との軸心を合致させ、かつ、前記第２挟持用凹部と前記第４挟持用凹部との軸心を合致させて前記第２内面と前記第４内面とを向かい合わせた状態で、互いに係合するピンと係合孔とが複数設けられている、
ことを特徴とする請求項１記載の連結構造。
【請求項６】
前記第１挟持板と前記第２挟持板の厚さ方向の他方の面である外面は、それらの内面と平行する単一の平面で形成されている、
ことを特徴とする請求項１記載の連結構造。
【請求項７】
前記第１、第２挟持板の長手方向と直交する方向の幅は均一の寸法で形成され、
前記第１、第２挟持板の幅は同一の寸法で形成されている、
ことを特徴とする請求項１記載の連結構造。
【請求項８】
前記第１、第２挟持板の長手方向と直交する方向の幅は均一の寸法で形成され、
前記第１、第２挟持板の幅は同一の寸法で形成され、
前記雄ねじ部材は、前記雄ねじよりも大きい寸法の外径の頭部を有し、
前記頭部の外径は、前記第１、第２挟持板の幅よりも大きな寸法で形成されている、
ことを特徴とする請求項１記載の連結構造。
【請求項９】
前記第１、第２挟持板の長手方向と直交する方向の幅は均一の寸法で形成され、
前記第１、第２挟持板の幅は同一の寸法で形成され、
前記雄ねじ部材は、前記雄ねじよりも大きい寸法の外径の頭部を有し、
前記頭部の断面は、各辺が内側に湾曲した六角形状を呈し、
前記頭部の外径は、前記第１、第２挟持板の幅よりも大きな寸法で形成されている、
ことを特徴とする請求項１記載の連結構造。
【請求項１０】
前記第１、第２挟持板の長手方向と直交する方向の幅は均一の寸法で形成され、
前記第１、第２挟持板の幅は同一の寸法で形成され、
前記雄ねじ部材は、前記雄ねじよりも大きい寸法の外径の頭部を有し、
前記頭部の外径は、前記第１、第２挟持板の幅よりも大きな寸法で形成され、
前記頭部の上面に、工具が係脱される回転操作用係合孔が形成されている、
ことを特徴とする請求項１記載の連結構造。
【請求項１１】
前記第１の物品は、物品に着脱可能に取着される連結具であり、前記第２の物品は、吸盤装置のケースであり、
前記吸盤装置は、
厚さ方向の一方の面が吸着面とされ他方の面が背面とされた吸盤と、
前記吸盤の背面の中央から前記厚さ方向に沿って前記背面から離れる方向に突出する中心軸を有し、
前記ケースは、前記吸盤の背面を覆い前記吸盤の背面の外周部に、または、前記吸着面が被吸着面に吸着した状態で前記吸盤の外側に位置する前記被吸着面の箇所に当接可能に設けられ、
前記吸着面が被吸着面に吸着した状態で前記ケースを、前記背面の外周部に、または、前記被吸着面の箇所に、当接する方向に付勢すると共に前記中心軸を前記被吸着面から離れる方向に付勢する付勢機構が前記中心軸と前記ケースとの間に設けられている、
ことを特徴とする請求項１記載の連結構造。
【請求項１２】
細長形状の第１挟持板と、細長形状の第２挟持板と、それら挟持板の厚さ方向の一方の面である内面を向かい合わせて挟持固定する一本の雄ねじ部材とを含んで構成され、
前記第１挟持板の長手方向の両側における前記内面の箇所に第１挟持用凹部と第２挟持用凹部がそれぞれ形成されると共に、それら挟持用凹部の間の箇所に前記雄ねじ部材の雄ねじの挿通を可能とした挿通孔が貫通形成され、
前記第２挟持板の長手方向の両側における前記内面の箇所に第３挟持用凹部と第４挟持用凹部がそれぞれ形成されると共に、それら挟持用凹部の間の箇所に、前記第１挟持用凹部と前記第３挟持用凹部との軸心を合致させ、かつ、前記第２挟持用凹部と前記第４挟持用凹部との軸心を合致させた状態で前記挿通孔に挿通された前記雄ねじ部材の雄ねじに螺合する雌ねじが形成され、
前記第１挟持用凹部は、前記内面に開口する部分全周に第１の半径で形成された第１球面状挟持面を有し、
前記第２挟持用凹部は、前記内面に開口する部分全周に第２の半径で形成された第２球面状挟持面を有し、
前記第３挟持用凹部は、前記内面に開口する部分全周に前記第１の半径で形成された第３球面状挟持面を有し、
前記第４挟持用凹部は、前記内面に開口する部分全周に前記第２の半径で形成された第４球面状挟持面を有する、
ことを特徴とするジョイント。
【請求項１３】
前記第１挟持用凹部は、前記第１球面状挟持面の中央に前記第１球面状挟持面の仮想延長面よりも深い深さで形成された第１凹部を備え、
前記第２挟持用凹部は、前記第２球面状挟持面の中央に前記第２球面状挟持面の仮想延長面よりも深い深さで形成された第２凹部を備え、
前記第３挟持用凹部は、前記第３球面状挟持面の中央に前記第３球面状挟持面の仮想延長面よりも深い深さで形成された第３凹部を備え、
前記第４挟持用凹部は、前記第４球面状挟持面の中央に前記第４球面状挟持面の仮想延長面よりも深い深さで形成された第４凹部を備える、
ことを特徴とする請求項１２記載のジョイント。
【請求項１４】
前記第１の半径と前記第２の半径とは同一の寸法で形成され、
前記挿通孔は、前記第１挟持用凹部の軸心と前記第２挟持用凹部の軸心との間の中心の箇所に形成され、
前記雌ねじは、前記第３挟持用凹部の軸心と前記第４挟持用凹部の軸心との間の中心の箇所に形成されている、
ことを特徴とする請求項１２記載のジョイント。
【請求項１５】
前記第１挟持板の長手方向の両側における前記内面の箇所は、同一平面上を延在する第１内面として形成されると共に、前記第１挟持板の長手方向の中央部における前記内面の箇所は、前記第１内面よりも突出し前記平面に平行する平面上を延在する第２内面として形成され、
前記第１挟持用凹部と前記第２挟持用凹部は前記第１内面に形成され、前記挿通孔は前記第２内面に形成され、
前記第２挟持板の長手方向の両側における前記内面の箇所は、同一平面上を延在する第３内面として形成されると共に、前記第２挟持板の長手方向の中央部における前記内面の箇所は、前記第３内面よりも突出し前記平面に平行する平面上を延在する第４内面として形成され、
前記第３挟持用凹部と前記第４挟持用凹部は前記第３内面に形成され、前記雌ねじは前記第４内面に形成されている、
ことを特徴とする請求項１２記載のジョイント。
【請求項１６】
前記第１挟持板の長手方向の両側における前記内面の箇所は、同一平面上を延在する第１内面として形成されると共に、前記第１挟持板の長手方向の中央部における前記内面の箇所は、前記第１内面よりも突出し前記平面に平行する平面上を延在する第２内面として形成され、
前記第１挟持用凹部と前記第２挟持用凹部は前記第１内面に形成され、前記挿通孔は前記第２内面に形成され、
前記第２挟持板の長手方向の両側における前記内面の箇所は、同一平面上を延在する第３内面として形成されると共に、前記第２挟持板の長手方向の中央部における前記内面の箇所は、前記第３内面よりも突出し前記平面に平行する平面上を延在する第４内面として形成され、
前記第３挟持用凹部と前記第４挟持用凹部は前記第３内面に形成され、前記雌ねじは前記第４内面に形成され、
前記挿通孔の周囲の前記第２内面の箇所と、前記雌ねじの周囲の前記第４内面の箇所に、前記第１挟持用凹部と前記第３挟持用凹部との軸心を合致させ、かつ、前記第２挟持用凹部と前記第４挟持用凹部との軸心を合致させて前記第２内面と前記第４内面とを向かい合わせた状態で、互いに係合するピンと係合孔とが複数設けられている、
ことを特徴とする請求項１２記載のジョイント。
【手続補正２】
【補正対象書類名】明細書
【補正対象項目名】００１２
【補正方法】変更
【補正の内容】
【００１２】
次に、吸盤装置２０の被吸着面２への吸着について説明する。
まず、図９に示すように、吸盤装置２０の吸盤２２の吸着面３０を被吸着面２に臨ませ、吸着面３０の外周部を被吸着面２に当て付ける。この状態で、吸着面３０と被吸着面２との間には空気が介在した空間が形成されている。
次に、キャップ４０を吸着面２方向に押圧したのちキャップ４０から指を離す。
まず、キャップ４０が押圧されることで、図８に示すように、吸盤２２の中央部分が被吸着面２に近接する方向に変形し、吸着面３０の全域がダッシュボードやフロントガラスなどの被吸着面２に密着し、前記空間に介在した空気が吸着面３０と被吸着面２との間から排出され、吸着面３０と被吸着面２との間がほぼ真空状態となり、吸盤２２が被吸着面２に吸着され、これにより吸盤装置２０が被吸着面２に取り付けられる。
次にキャップ４０から指が離されると、コイルスプリング２８の弾性力により、吸着面３０が被吸着面２に吸着した状態でケース２６の環板部２６０８の外周部全周が吸盤２２の背面３２に当接され、かつ、当接される方向に付勢されると共に中心軸２４０４が被吸着面２から離れる方向に付勢され、これにより、吸盤装置２０ががたつくことなくダッシュボードやフロントガラスなどの被吸着面２に確実に取着される。
なお、このような吸盤装置２０の構成は任意であり、ケース２６の環板部２６０８を、吸着面３０が被吸着面２に吸着した状態で吸盤２２の外側に位置する被吸着面２の箇所に当接するように設けてもよく、あるいは、コイルスプリング２８に代え、中心軸２４０４とケース２６との間に、吸着面３０が被吸着面２に吸着した状態でケース２６の環板部２６０８の外周部全周を吸盤２２の背面３２に、あるいは、吸盤２２の外側に位置する被吸着面２の箇所に当接する方向に付勢すると共に中心軸２４０４を被吸着面２から離れる方向に付勢するカム機構などを設けるなど、従来公知の様々な吸盤装置２０の構成が採用可能である。